(57)【要約】【課題】撮影画像の編集を行う際の利便性を向上させること。【解決手段】１つの態様において、携帯電子機器（例えば、携帯電話１）は、画像データを取得するカメラと、前記カメラにより取得された画像データに紐付けるデータを生成する処理を実行する制御部とを有する。例えば、携帯電子機器（例えば、携帯電話１）は、カメラ３６により画像データが取得されると、続けて、メモデータの入力を受け付ける。そして、携帯電子機器（例えば、携帯電話１）は、メモデータの入力が完了すると、画像データとメモデータとを紐付ける画像管理データを生成する。続いて、携帯電子機器（例えば、携帯電話１）は、画像管理データ、画像データ、及びメモデータを、記憶部２２に設けられる保存領域へ保存する。【選択図】図２
2014168174.tif 000002
【特許請求の範囲】
【請求項１】
画像データを取得するカメラと、
前記カメラにより取得された画像データに紐付けるデータを生成する処理を実行する制御部と
を有する携帯電子機器。
【請求項２】
前記制御部は、前記画像データに紐付けるテキストデータまたは音声データを生成する請求項１に記載の携帯電子機器。
【請求項３】
前記制御部は、前記画像データに紐付けるデータを生成する場合に、前記テキストデータおよび前記音声データのいずれか一方を選択させる請求項２に記載の携帯電子機器。
【請求項４】
画像データを取得するカメラを有する携帯電子機器によって実行される画像編集方法であって、
前記画像データを取得するステップと、
取得された前記画像データに紐付けるデータを生成する処理を実行するステップと
を含む画像編集方法。
【請求項５】
画像データを取得するカメラを有する携帯電子機器に、
前記画像データを取得するステップと、
取得された前記画像データに紐付けるデータを生成する処理を実行するステップと
を実行させる画像編集プログラム。
【発明の詳細な説明】
【技術分野】
【０００１】
本出願は、携帯電子機器、画像編集方法及び画像編集プログラムに関する。
【背景技術】
【０００２】
携帯電話又はスマートフォンなどの携帯電子機器には、カメラを搭載するものがある（例えば、特許文献１参照）。カメラが搭載される携帯電子機器では、撮影画像に対する編集が可能となっており、例えば、撮影した画像に対して、タイトルおよびコメントなどを付けて保存することも一般的となっている。ブログなどのソーシャルネットワークサービスでは、カメラが搭載される携帯電子機器から、撮影画像と併せて、撮影画像に関するコメントなどをアップロードして利用することも可能となっている。
【先行技術文献】
【特許文献】
【０００３】
【特許文献１】特開２００２−２７１６７１号公報
【発明の概要】
【発明が解決しようとする課題】
【０００４】
カメラを搭載する携帯電子機器では、撮影画像に対する編集を行う場合に、利用者の利便性が低い場合がある。
【０００５】
このようなことから、撮影画像の編集を行う際の利便性を向上させることができる携帯電子機器、画像編集方法及び画像編集プログラムに対する必要性がある。
【課題を解決するための手段】
【０００６】
１つの態様に係る携帯電子機器は、画像データを取得するカメラと、前記カメラにより取得された画像データに紐付けるデータを生成する処理を実行する制御部とを有する。
【０００７】
１つの態様に係る画像編集方法は、画像データを取得するカメラを有する携帯電子機器によって実行される画像編集方法であって、前記画像データを取得するステップと、取得された前記画像データに紐付けるデータを生成する処理を実行するステップとを含む。
【０００８】
１つの態様に係る画像編集プログラムは、画像データを取得するカメラを有する携帯電子機器に、前記画像データを取得するステップと、取得された前記画像データに紐付けるデータを生成する処理を実行するステップとを実行させる。
【図面の簡単な説明】
【０００９】
【図１】図１は、実施形態に係る携帯電話の外観を示す正面図である。
【図２】図２は、実施形態１に係る携帯電話の機能構成を示すブロック図である。
【図３】図３は、画像管理データのデータ構成の一例を示す図である。
【図４】図４は、レイアウトの一例を示す図である。
【図５】図５は、画像データにメモデータを紐付けて保存する制御の一例を示す図である。
【図６】図６は、携帯電話に保存された画像および画像に紐付けられたメモを利用者に閲覧させる際の制御の一例を示す図である。
【図７】図７は、携帯電話に保存された画像および画像に紐付けられたメモの検索を行う際の制御の一例を示す図である。
【図８】図８は、実施形態１に係る携帯電話による制御の流れを示すフローチャートである。
【図９】図９は、実施形態２に係る携帯電話１の機能構成を示すブロック図である。
【図１０】図１０は、画像データに音声メモデータを紐付けて保存する制御の一例を示す図である。
【図１１】図１１は、携帯電話に保存された画像および画像に紐付けられた音声メモを利用者に閲覧させる際の制御の一例を示す図である。
【図１２】図１２は、実施形態２に係る携帯電話による制御の流れを示すフローチャートである。
【図１３】図１３は、実施形態３に係る携帯電話の機能構成を示すブロック図である。
【図１４】図１４は、画像データに紐付けて保存するデータとして、メモデータ及び音声メモデータのいずれかを選択させる制御の一例を示す図である。
【発明を実施するための形態】
【００１０】
本発明を実施するための実施形態を、図面を参照しつつ詳細に説明する。以下では、本発明に係る携帯電子機器の一例として、携帯電話について説明する。
【００１１】
（実施形態１）
図１は、実施形態に係る携帯電話の外観を示す正面図である。図１に示す携帯電話１は、筐体１Ｃが開閉可能に構成された、いわゆる折り畳み式の携帯電話である。
【００１２】
筐体１Ｃは、第１筐体１ＣＡと第２筐体１ＣＢとで構成される。第１筐体１ＣＡと第２筐体１ＣＢとは、ヒンジ１８で連結されている。第１筐体１ＣＡ及び第２筐体１ＣＢは、ヒンジ１８を中心として、互いに遠ざかる方向、あるいは互いに接近する方向に回動する。第１筐体１ＣＡと第２筐体１ＣＢとが互いに遠ざかる方向に回動する場合、図１に示すように、携帯電話１は開いた状態となる。一方、第１筐体１ＣＡと第２筐体１ＣＢとが互いに接近する方向に回動する場合、携帯電話１は閉じた状態となる。
【００１３】
図１に示すように、第１筐体１ＣＡには、ディスプレイ２Ｍが設けられる。ディスプレイ２Ｍは、いわゆる待受画面４０を表示したり、携帯電話１の操作を補助するために用いられるメニュー画面を表示したりする。待受画面４０とは、電話の発着信を待ち受けている状態の画面、またはアプリケーションの起動を待ち受けている状態の画面などである。
【００１４】
図１に示すように、第１筐体１ＣＡには、ディスプレイ２Ｍのヒンジ１８側に、第１ワンタッチキー４ａ、第２ワンタッチキー４ｂ及び第３ワンタッチキー４ｃの３つのワンタッチキー４が、第１筐体１ＣＡの幅方向（短手方向）に並べて設けられている。第１ワンタッチキー４ａ、第２ワンタッチキー４ｂ及び第３ワンタッチキー４ｃには、それぞれ、「１」、「２」、「３」の番号が付されている。ディスプレイ２Ｍには、第１ワンタッチキー４ａ、第２ワンタッチキー４ｂ及び第３ワンタッチキー４ｃに、それぞれ割り当てられている機能に対応するアイコンなどを表示するための表示領域１０ａ、１０ｂおよび１０ｃが設けられる。図１に示すワンタッチキー４の数、及びワンタッチキー４に付される数字は一例であり、図１に示す場合には限定されない。第１筐体１ＣＡには、必ずしも、ワンタッチキー４が備えられていなくてもよい。
【００１５】
ディスプレイ２Ｍとヒンジ１８との間に設けられた３つのワンタッチキー４は、ユーザによるワンタッチ操作で、携帯電話１に搭載されている各種機能（アプリケーション）を簡単に実行させるものである。ワンタッチキー４に割り当てられた各種アプリケーション機能は、ワンタッチキー４に対するワンタッチ操作により実行される。ワンタッチキー４に割り当てられるアプリケーションには、例えば、通話（発信）、メール、カメラ、カレンダー、目覚まし時計、赤外線通信、電卓、メモ帳、音声認識、漢字チェックなどが含まれる。
【００１６】
図１に示すように、第１筐体１ＣＡには、通話時に、相手の音声を出力するレシーバ６が設けられる。レシーバ６は、音声処理部３０から送り出された音信号を音として出力する。
【００１７】
一方、図１に示すように、第２筐体１ＣＢには、利用者が文字および数字などの入力を行うための複数のテンキーで構成されるダイヤルキー３ａが設けられる。第２筐体１ＣＢには、ディスプレイ２Ｍに表示されるメニューの選択、及びカーソルの移動方向などを入力するためのカーソルキー３ｂが設けられる。第２筐体１ＣＢには、決定操作を入力するための決定キー３ｃが設けられる。第２筐体１ＣＢには、アプリケーションの起動操作を入力するための機能キー３ｄが設けられる。本実施形態では、カーソルキー３ｂの一部が、機能キー３ｄの役割も兼ねている。ダイヤルキー３ａ、カーソルキー３ｂ、決定キー３ｃ、機能キー３ｄ及びワンタッチキー４は、後述するように、携帯電話１の操作部２８（図２参照）を構成する。
【００１８】
図１に示すように、第２筐体１ＣＢには、通話時などに、利用者の声などを入力するマイク５が設けられる。マイク５は、入力する利用者の声等を音信号へ変換して音声処理部３０に送り出す。
【００１９】
次に、携帯電話１の機能構成の一例を説明する。図２は、実施形態１に係る携帯電話１の機能構成を示すブロック図である。図２に示すように携帯電話１は、記憶部２２と、制御部２４と、通信部２６と、操作部２８と、音声処理部３０と、表示部３２と、表示制御部３４と、カメラ３６とを有する。
【００２０】
記憶部２２は、プログラム及びデータを記憶する。記憶部２２は、制御部２４の処理結果を一時的に記憶する作業領域（バッファ）としても利用される。記憶部２２は、半導体記憶媒体、及び磁気記憶媒体等の任意の非一過的（ｎｏｎ−ｔｒａｎｓｉｔｏｒｙ）な記憶媒体を含んでよい。記憶部２２は、複数の種類の記憶媒体を含んでよい。記憶部２２は、メモリカード、光ディスク、又は光磁気ディスク等の可搬の記憶媒体と、記憶媒体の読み取り装置との組み合わせを含んでよい。記憶部２２は、ＲＡＭ（Ｒａｎｄｏｍ  Ａｃｃｅｓｓ  Ｍｅｍｏｒｙ）等の一時的な記憶領域として利用される記憶デバイスを含んでよい。
【００２１】
実施形態１において、記憶部２２は、図２に示すように、画像編集プログラム２２ａ、アルバムアプリケーション２２ｂ、カメラアプリケーション２２ｃ、メモアプリケーション２２ｄ、画像管理データ２２ｆ、画像データ２２ｇ、メモデータ２２ｈ、及びレイアウトデータ２２ｚなどを記憶する。
【００２２】
画像編集プログラム２２ａは、カメラ３６により取得された画像データに紐付けるデータを生成する処理を実行するための機能を提供する。アルバムアプリケーション２２ｂは、携帯電話１に保存された画像データの一覧をアルバムとして利用者に閲覧させるための機能を提供する。カメラアプリケーション２２ｃは、カメラ３６の動作を制御して画像データを取得するための機能を提供する。カメラアプリケーション２２ｃにより取得される画像データには、動画および静止画のデータが含まれる。メモアプリケーション２２ｄは、カメラ３６により撮影された画像データに紐付けるテキスト形式のデータ（以下、メモデータ）を生成するための機能を提供する。画像編集プログラム２２ａにより提供される機能は、カメラ３６により取得された画像データに紐付けるデータを生成する処理を実行する場合、メモアプリケーション２２ｄなど、記憶部２２に記憶される他のプログラムなどが提供する機能と組み合わせて利用されることがある。
【００２３】
画像管理データ２２ｆは、画像データと、メモデータとの対応関係を管理するためのデータである。画像管理データ２２ｆは、例えば、記憶部２２の画像管理データ保存領域に保存される。図３は、画像管理データ２２ｆのデータ構成の一例を示す図である。図３に示すように、画像管理データ２２ｆでは、画像管理ＩＤと、参照画像ＩＤと、参照メモＩＤと、参照レイアウトＩＤとが対応付けられた状態で構成される。
【００２４】
画像管理ＩＤは、画像データと、メモデータとの組合せごとに一意に付与される識別情報（例えば、００１）である。参照画像ＩＤは、カメラ３６により撮影された画像データごとに一意に付与される識別情報（例えば、Ｐ００１１）である。参照メモＩＤは、メモアプリケーション２２ｄにより生成されたメモデータごとに一意に付与される識別情報（例えば、Ｍ０１２５）である。参照レイアウトＩＤは、携帯電話１に保存された画像データの一覧を利用者に閲覧させる際に、アルバムアプリケーション２２ｂにより参照されるレイアウトを一意に特定するための情報（例えば、Ｒ００１）である。レイアウトは、後述するレイアウトデータ２２Ｚに基づいて決定される。
【００２５】
画像データ２２ｇは、記憶部２２の画像保存領域に保存される画像データである。メモデータ２２ｈは、記憶部２２のメモ保存領域に保存されるメモデータである。レイアウトデータ２２ｚは、記憶部２２のレイアウト保存領域に保存されるレイアウトパターンのデータである。図４は、レイアウトの一例を示す図である。図４に示すように、レイアウト（例えば、参照レイアウトＩＤ：Ｒ００１）は、携帯電話１に保存された画像データの一覧を利用者に閲覧させる際に、ディスプレイ２Ｍに表示するアルバム画面の画像表示領域およびメモ表示領域のレイアウト（位置関係）を決定するためのデータである。レイアウトデータ２２Ｚには、現在設定されているレイアウトパターン（例えば、Ｒ００１）、その他の設定可能なレイアウトパターン（例えば、Ｒ００２）などのデータが含まれる。
【００２６】
制御部２４は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、及びＦＰＧＡ（Ｆｉｅｌｄ−Ｐｒｏｇｒａｍｍａｂｌｅ  Ｇａｔｅ  Ａｒｒａｙ）を含むが、これらに限定されない。制御部２４は、携帯電話１の動作を統括的に制御して各種の機能を実現する。
【００２７】
具体的には、制御部２４は、記憶部２２に記憶されているデータを必要に応じて参照しつつ、記憶部２２に記憶されているプログラム（又はアプリケーション）に含まれる命令を実行する。そして、制御部２４は、データ及び命令に応じて機能部を制御し、それによって各種機能を実現する。機能部は、例えば、マイク５、レシーバ６、通信部２６、音声処理部３０、表示部３２、表示制御部３４を含むが、これらに限定されない。制御部２４は、検出部の検出結果に応じて、制御を変更することがある。検出部は、例えば、マイク５、通信部２６及び操作部２８を含むが、これらに限定されない。
【００２８】
実施形態１において、制御部２４は、上記画像編集プログラム２２ａを記憶部２２から読込んで実行することにより、カメラ３６により取得された画像データに紐付けるデータを生成する処理を実行する。制御部２４により実行される処理を具体的に説明すると、制御部２４は、カメラ３６により画像データが取得されると、続けて、メモデータの入力を受け付ける。そして、制御部２４は、メモデータの入力が完了すると、画像データとメモデータとを紐付ける画像管理データを生成する。続いて、制御部２４は、画像管理データ、画像データ、及びメモデータを、記憶部２２に設けられる保存領域へ保存する。
【００２９】
本実施形態において、制御部２４がプログラム（又はアプリケーション）を実行する場合には、プログラムを起動する場合と、中断中のプログラムを再開する場合と、起動済のプログラムの処理を継続する場合とが含まれる。本実施形態において、制御部２４がプログラム（又は、アプリケーション）を起動する場合には、記憶部２２に記憶されているプログラムを新たに読み出してその処理を開始する場合と、既に読み出されているプログラムの処理を新たに開始する場合とが含まれる。
【００３０】
通信部２６は、公衆回線ネットワークなどのネットワークを通じて、データの送受信、通話などの通信を行うことができるように構成されている。通信部２６がサポートする通信規格には、例えば、２Ｇ、３Ｇ、４Ｇ等のセルラーフォンの通信規格がある。セルラーフォンの通信規格としては、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。通信部２６は、上述した通信規格の１つ又は複数をサポートしていてもよい。
【００３１】
操作部２８は、上述したように、ダイヤルキー３ａ、カーソルキー３ｂ、決定キー３ｃ、機能キー３ｄ、及びワンタッチキー４とで構成される。操作部２８は、ユーザの操作によりキーの入力を受け付けると、入力された操作内容に対応する信号を発生させる。発生した信号は、制御部２４に入力される。操作部２８は、ダイヤルキー３ａに含まれるテンキーのいずれかに、制御部２４により実行される画像データに紐付けるデータを生成する処理を割り当ててもよい。
【００３２】
音声処理部３０は、マイク５に入力される音声信号やレシーバ６から出力される音声信号の処理を実行する。音声処理部３０は、マイク５から送られる音信号を処理し、制御部２４に送る。音声処理部３０は、制御部２４から送り出される音信号を処理し、レシーバ６へ送る。
【００３３】
表示部３２は、制御部２４から表示制御部３４を介して供給されるコンテンツデータ（動画像、静止画像など）に応じた画像を上記ディスプレイ２Ｍに表示させる。ディスプレイ２Ｍは、液晶ディスプレイ（Ｌｉｑｕｉｄ  Ｃｒｙｓｔａｌ  Ｄｉｓｐｌａｙ）、有機ＥＬ（Ｏｒｇａｎｉｃ  Ｅｌｅｃｔｒｏ−Ｌｕｍｉｎｅｓｃｅｎｃｅ）などで構成される。
【００３４】
カメラ３６は、撮影した画像を電気信号へ変換する。カメラ３６には、例えば、ディスプレイ２Ｍに面している物体を撮影するインカメラ、ディスプレイ２Ｍの反対側の面に面している物体を撮影するアウトカメラが含まれる。
【００３５】
続いて、図５〜図７を用いて、実施形態１に係る携帯電話１により実行される制御の一例について説明する。
【００３６】
図５は、画像データにメモデータを紐付けて保存する制御の一例を示す図である。図５に示すように、携帯電話１は、利用者の操作に応じてカメラ３６を起動し、カメラモードに遷移する。そして、携帯電話１は、カメラ３６により捕捉される被写体の画像（イメージ）を映し出すカメラモードの画面４０をディスプレイ２Ｍに表示する（ステップＳ１１）。カメラモードとは、カメラ３６により補足される被写体のイメージをリアルタイムにディスプレイ２Ｍに表示するとともに、静止画および動画の撮影が可能なモードである。
【００３７】
続いて、携帯電話１は、画面４０において、利用者の操作に応じて、カメラ３６により補足されている被写体の画像データを取得する（ステップＳ１２）。画像取得後、携帯電話１は、取得した画像を確認する確認画面を表示する。携帯電話１は、取得画像の確認画面に、例えば、ダイヤルキー３ａに含まれるテンキーの「＊キー」を操作することにより、メモデータの添付が可能であることを画面４０に表示する。さらに、ステップＳ１２において、携帯電話１は、第１ワンタッチキー４ａ、第２ワンタッチキー４ｂ及び第３ワンタッチキー４ｃに、特定のメールアドレスに対する電子メール送信の機能を割り当てておくことにより、ワンタッチキー４に対する操作で、取得した画像データを添付した電子メールの送信を行うこともできる。
【００３８】
「＊キー」の操作を検出すると、携帯電話１は、メモの入力画面４１をディスプレイ２Ｍに表示する（ステップＳ１３）。
【００３９】
メモの入力が行われた入力画面４１において、メモの入力完了の操作（ＯＫ）を検出すると（ステップＳ１４）、携帯電話１は、撮影された画像および入力されたメモが所定のレイアウトで配置されたレイアウト画面４２をディスプレイ２Ｍに表示する（ステップＳ１５）。撮影された画像および入力されたメモのレイアウトは、事前に設定されているものとする。レイアウトは、利用者が適宜変更可能であるものとする。
【００４０】
レイアウト画面４２において、利用者による入力の確定操作（完了）を検出すると、携帯電話１は、画像データおよびメモデータの登録完了のメッセージをディスプレイ２Ｍに表示し（ステップＳ１６）、画像データとメモデータとを紐付けて保存する。
【００４１】
図６は、携帯電話１に保存された画像および画像に紐付けられたメモを利用者に閲覧させる際の制御の一例を示す図である。図６に示すように、携帯電話１は、利用者の操作に応じて、アルバム画面４３をディスプレイ２Ｍに表示する（ステップＳ２１）。アルバム画面４３には、携帯電話１に保存されている画像の見出し４３ａが含まれる。見出し４３ａには、画像のサムネイルＳＮ１が含まれる。
【００４２】
携帯電話１は、アルバム画面４３において、画像の見出し４３ａの選択を検出すると、見出し４３ａに対応する画像データおよびメモデータが所定のレイアウトで配置された画面４４ａをディスプレイ２Ｍに表示する（ステップＳ２２）。
【００４３】
携帯電話１は、画面４４ａにおいて、メモを読み上げる操作（再生）を検出すると、メモの読み上げ中であることを示す画面４４ｂをディスプレイ２Ｍに表示するとともに、メモ内容に対応する読み上げ音声を再生（レシーバ６から出力）する（ステップＳ２３）。読み上げ音声の再生が終了すると、携帯電話１は、ステップＳ２２に戻り、画面４４ａをディスプレイ２Ｍに表示する。
【００４４】
図７は、携帯電話１に保存された画像および画像に紐付けられたメモをの検索を行う際の制御の一例を示す図である。図７に示すように、携帯電話１は、アルバム画面４３をディスプレイ２Ｍに表示する（ステップＳ３１）。携帯電話１は、アルバム画面４３において、メニュー画面を表示させる操作を検出すると、サブメニュー４３ｃをディスプレイ２Ｍに表示する（ステップＳ３２）。
【００４５】
携帯電話１は、サブメニュー４３ｃに含まれるキーワード検索を選択する操作を検出すると、検索対象となるキーワードの入力画面４５をディスプレイ２Ｍに表示する（ステップＳ３３）。キーワードの入力が行われた入力画面４５において、キーワードの入力完了の操作（ＯＫ）を検出すると（ステップＳ３４）、携帯電話１は、入力されたキーワードを含む見出しの検索を行う。そして、携帯電話は、キーワードを含む見出しのみが表示されるアルバム画面４３をディスプレイに表示する（ステップＳ３５）。
【００４６】
続いて、図８を用いて、実施形態１に係る携帯電話１により実行される制御の流れを説明する。図８は、実施形態１に係る携帯電話１による制御の流れを示すフローチャートである。図８に示す制御は、制御部２４が、画像編集プログラム２２ａなどを記憶部２２から読込んで実行することにより実現される。図８に示す制御は、カメラモードである間、繰り返し実行される。図８は、画像データにメモデータを紐付けて保存するときの制御の流れを示す。
【００４７】
図８に示すように、制御部２４は、利用者の操作に応じて、記憶部２２からカメラアプリケーション２２ｃを読込んで実行することによりカメラ３６を起動し（ステップＳ１０１）、カメラモードへ遷移する（ステップＳ１０２）。カメラモードとは、カメラ３６により補足される被写体のイメージをリアルタイムにディスプレイ２Ｍに表示するとともに、静止画および動画の撮影が可能なモードである。
【００４８】
続いて、制御部２４は、利用者の撮影操作に応じてシャッターを駆動し（ステップＳ１０３）、撮影画像のデータをバッファへ退避する（ステップＳ１０４）。続いて、制御部２４は、画像編集プログラム２２ａを記憶部２２から読込んで起動する（ステップＳ１０５）。ステップＳ１０５で画像編集プログラム２２ａが起動されることにより、後述するように、画像データにメモデータを紐付けて保存するための各種制御が実現される。各種制御の中には、例えば、ダイヤルキー３ａに含まれるテンキーの「＊キー」を操作によりメモアプリケーション２２ｄを起動したり、各種画面を表示したり、画像管理データを生成したりする制御などが含まれる。
【００４９】
続いて、制御部２４は、メモの添付を実行する操作が検出されたかを判定する（ステップＳ１０６）。制御部２４は、例えば、ダイヤルキー３ａに含まれるテンキーの「＊キー」の入力が行われたかを判定する。
【００５０】
制御部２４は、判定の結果、メモの添付を実行する操作が検出された場合には（ステップＳ１０６、Ｙｅｓ）、記憶部２２からメモアプリケーション２２ｄを読込んで起動し、メモの入力画面（図５参照）をディスプレイ２Ｍに表示する（ステップＳ１０７）。
【００５１】
続いて、制御部２４は、メモの入力完了の操作を検出すると（ステップＳ１０８）、ステップＳ１０４でバッファに退避しておいた撮影画像と、入力されたメモとを含むレイアウト画面（図５参照）をディスプレイ２Ｍに表示する（ステップＳ１０９）。
【００５２】
続いて、制御部２４は、入力の確定操作を検出すると（ステップＳ１１０）、画像管理データを生成する（ステップＳ１１１）。具体的には、制御部２４は、画像管理ＩＤを生成し、ステップＳ１０４でバッファに退避しておいた撮影画像のデータに参照画像ＩＤを付与し、ステップＳ１０８で入力が完了したメモデータに参照メモＩＤを付与し、ステップＳ１０９で用いたレイアウトに対応する参照レイアウトＩＤをレイアウトデータ２２ｚから取得する。そして、制御部２４は、画像管理ＩＤと、参照画像ＩＤと、参照メモＩＤと、参照レイアウトＩＤとを紐付けた画像管理データを生成する。
【００５３】
続いて、制御部２４は、記憶部２２の画像保存領域へ、バッファに退避しておいた撮影画像のデータを保存する（ステップＳ１１２）。続いて、制御部２４は、記憶部２２のメモ保存領域へメモデータを保存する（ステップＳ１１３）。続いて、制御部２４は、画像管理データの保存領域へ画像管理データを保存し（ステップＳ１１４）、ステップＳ１０２に戻る。
【００５４】
ステップＳ１０６において、制御部２４は、判定の結果、メモの添付を実行する操作が検出されなかった場合には（ステップＳ１０６、Ｎｏ）、撮影画像の破棄操作を検出したかを判定する（ステップＳ１１５）。
【００５５】
制御部２４は、判定の結果、撮影画像の破棄操作を検出しなかった場合には（ステップＳ１１５、Ｎｏ）、バッファに退避しておいた撮影画像のデータを、記憶部２２の画像保存領域へ保存し（ステップＳ１１６）、ステップＳ１０２に戻る。
【００５６】
一方、制御部２４は、判定の結果、撮影画像の破棄操作を検出した場合には（ステップＳ１１５、Ｙｅｓ）、バッファに退避しておいた撮影画像のデータを破棄して（ステップＳ１１７）、ステップＳ１０２に戻る。
【００５７】
上述してきたように、実施形態１では、携帯電話１は、カメラ３６により画像データが取得されると、続けて、メモデータの入力を受け付ける。そして、携帯電話１は、メモデータの入力が完了すると、画像データとメモデータとを紐付ける画像管理データを生成する。続いて、制御部２４は、画像管理データ、画像データ、及びメモデータを、記憶部２２に設けられる保存領域へ保存する。このようなことから、実施形態１によれば、画像データに紐付けてメモデータを保存する際の利用者の利便性を向上させることができる。
【００５８】
上記実施形態１において、携帯電話１は、画像データにテキスト形式のメモデータを紐付ける場合、画像のメタデータなどを格納するための領域（タグ）にメモデータを保存してもよい。
【００５９】
上記実施形態１において、携帯電話１は、メモの入力が完了し、画像データおよびメモデータの保存が完了した後、カメラモードに戻る際には、メモを入力するためのレイアウトを表示したままでもよい。シャッターの連続駆動が検出された場合には、表示しているレイアウトを消去してもよい。
【００６０】
（実施形態２）
携帯電話１は、画像データに紐付けて、所定のファイル形式の音声データ（以下、音声メモデータ）を保存するようにしてもよい。以下の実施形態２では、画像データに紐付けて音声メモデータを保存する制御について説明する。
【００６１】
図９は、実施形態２に係る携帯電話１の機能構成を示すブロック図である。実施形態２に係る携帯電話の機能構成は、以下に説明する点が実施形態１とは異なる。
【００６２】
実施形態２において、記憶部２２は、画像編集プログラム２２ａ、アルバムアプリケーション２２ｂ、カメラアプリケーション２２ｃ、音声メモアプリケーション２２ｅ、画像管理データ２２ｆ、画像データ２２ｇ、音声メモデータ２２ｉ及びレイアウトデータ２２ｚを記憶する。
【００６３】
音声メモアプリケーション２２ｅは、カメラ３６により取得された画像データに紐付ける音声メモデータを生成するための機能を提供する。音声メモデータのファイル形式は、ＭＰ３（ＭＰＥＧ  Ａｕｄｉｏ  Ｌａｙｅｒ−３）、ＡＡＣ（Ａｄｖａｎｃｅｄ  Ａｕｄｉｏ  Ｃｏｄｉｎｇ）、ＨＥ−ＡＡＣ（Ｈｉｇｈ−Ｅｆｆｉｃｉｅｎｃｙ  Ａｄｖａｎｃｅｄ  Ａｕｄｉｏ  Ｃｏｄｉｎｇ）などの任意の圧縮符号化方式に対応する形式を採用できる。
【００６４】
画像管理データ２２ｆは、画像データと、音声メモデータとの対応関係を管理するためのデータである。画像管理データ２２ｆは、例えば、記憶部２２の画像管理データ保存領域に保存される。画像管理データ２２ｆのデータ構成は、実施形態１と同様である（図３参照）。例えば、実施形態２において、参照メモＩＤは、音声メモアプリケーション２２ｅにより生成される音声メモデータごとに一意に付与される識別情報である。
【００６５】
音声メモデータ２２ｉは、記憶部２２の音声メモ保存領域に保存される音声メモデータである。
【００６６】
実施形態２において、制御部２４は、カメラ３６により画像データが取得されると、続けて、音声メモデータの入力を受け付ける。そして、制御部２４は、音声メモデータの入力が完了すると、画像データと音声メモデータとを紐付ける画像管理データを生成する。続いて、制御部２４は、画像管理データ、画像データ、及び音声メモデータを、記憶部２２に設けられる保存領域へ保存する。音声メモデータは、マイク５および音声処理部３０を介して、制御部２４に送られる。
【００６７】
図１０及び図１１を用いて、実施形態２に係る携帯電話１により実行される制御の一例について説明する。
【００６８】
図１０は、画像データに音声メモデータを紐付けて保存する制御の一例を示す図である。図１０に示すように、携帯電話１は、利用者の操作に応じてカメラ３６を起動し、カメラモードに遷移する。そして、携帯電話１は、カメラ３６により捕捉される被写体の画像（イメージ）を映し出すカメラモードの画面４０をディスプレイ２Ｍに表示する（ステップＳ４１）。
【００６９】
続いて、携帯電話１は、画面４０において、利用者の操作に応じて、カメラ３６により補足されている被写体の画像データを取得する（ステップＳ４２）。画像取得後、取得した画像を確認する確認画面を表示する。携帯電話１は、取得画像の確認画面に、携帯電話１は、例えば、ダイヤルキー３ａに含まれるテンキーの「＊キー」を操作することにより、音声メモデータの添付が可能であることを画面４０に表示する。
【００７０】
「＊キー」の操作を検出すると、携帯電話１は、音声メモの録音画面４６をディスプレイ２Ｍに表示する（ステップＳ４３）。録音画面４６には、音声メモの録音を開始するための操作方法が表示される。録音画面４６には、撮影された画像のカテゴリ４６ｂが表示される。携帯電話１は、例えば、撮影された画像の含まれる顔を認識して、記憶部２２に保存されている画像との照合を行い、自動的にカテゴリを判定して表示する。ここで、カテゴリは、例えば、画像データの一覧をアルバムとして閲覧する際に、利用者が画像ごとに登録するアイコン、画像、グループ名などの識別情報、または優先度情報などであってよい。
【００７１】
音声メモの録音完了の操作（ＯＫ）を検出すると（ステップＳ４４）、携帯電話１は、撮影された画像および録音された音声メモが所定のレイアウトで配置されたレイアウト画面４７をディスプレイ２Ｍに表示する（ステップＳ４５）。撮影された画像および録音された音声メモのレイアウトは、事前に設定されているものとする。レイアウトは、利用者が適宜変更可能であるものとする。
【００７２】
レイアウト画面４７において、利用者による入力の確定操作（完了）を検出すると、携帯電話１は、画像データおよび音声メモデータの登録完了のメッセージをディスプレイ２Ｍに表示し（ステップＳ４６）、画像データと音声メモデータとを紐付けて保存する。
【００７３】
図１１は、携帯電話１に保存された画像および画像に紐付けられた音声メモを利用者に閲覧させる際の制御の一例を示す図である。図１１に示すように、携帯電話１は、利用者の操作に応じて、アルバム画面４３をディスプレイ２Ｍに表示する（ステップＳ５１）。
【００７４】
携帯電話１は、アルバム画面４３において、画像の見出し４３ｂの選択を検出すると、見出し４３ｂに対応する画像データおよび音声メモデータが所定のレイアウトで配置された画面４８ａをディスプレイ２Ｍに表示する（ステップＳ５２）。
【００７５】
携帯電話１は、画面４８ａにおいて、録音された音声メモを読み上げる操作（再生）を検出すると、音声メモの読み上げ中であることを示す画面４８ｂをディスプレイ２Ｍに表示するとともに、録音された音声メモの音声を再生（レシーバ６から出力）する（ステップＳ５３）。音声メモの再生が終了すると、携帯電話１は、ステップＳ５２に戻り、画面４８ａをディスプレイ２Ｍに表示する。
【００７６】
続いて、図１２を用いて、実施形態２に係る携帯電話１により実行される制御の流れを説明する。図１２は、実施形態２に係る携帯電話１による制御の流れを示すフローチャートである。図１２に示す制御は、制御部２４が、画像編集プログラム２２ａなどを記憶部２２から読込んで実行することにより実現される。図１２に示す制御は、カメラモードである間、繰り返し実行される。図１２は、画像データに音声メモデータを紐付けて保存するときの制御の流れを示す。
【００７７】
図１２に示すように、制御部２４は、利用者の操作に応じて、記憶部２２からカメラアプリケーション２２ｃを読込んで実行することによりカメラ３６を起動し（ステップＳ２０１）、カメラモードへ遷移する（ステップＳ２０２）。
【００７８】
続いて、制御部２４は、利用者の撮影操作に応じてシャッターを駆動し（ステップＳ２０３）、撮影画像のデータをバッファへ退避する（ステップＳ２０４）。続いて、制御部２４は、画像編集プログラム２２ａを記憶部２２から読込んで起動する（ステップＳ２０５）。ステップＳ２０５で画像編集プログラム２２ａが起動されることにより、画像データに音声メモデータを紐付けて保存するための各種制御が実現される。各種制御の中には、例えば、ダイヤルキー３ａに含まれるテンキーの「＊キー」を操作により音声メモアプリケーション２２ｅを起動したり、各種画面を表示したり、画像管理データを生成したりする制御などが含まれる。
【００７９】
続いて、制御部２４は、音声メモの添付を実行する操作が検出されたかを判定する（ステップＳ２０６）。制御部２４は、例えば、ダイヤルキー３ａに含まれるテンキーの「＊キー」の入力が行われたかを判定する。
【００８０】
制御部２４は、判定の結果、音声メモの添付を実行する操作が検出された場合には（ステップＳ２０６、Ｙｅｓ）、記憶部２２から音声メモアプリケーション２２ｅを読込んで起動し、音声メモの録音画面（図１０参照）をディスプレイ２Ｍに表示する（ステップＳ２０７）。
【００８１】
続いて、制御部２４は、音声メモの録音完了の操作を検出すると（ステップＳ２０８）、ステップＳ２０４でバッファに退避しておいた撮影画像と、録音された音声メモとを含むレイアウト画面（図１０参照）をディスプレイ２Ｍに表示する（ステップＳ２０９）。
【００８２】
続いて、制御部２４は、入力の確定操作を検出すると（ステップＳ２１０）、画像管理データを生成する（ステップＳ２１１）。具体的には、制御部２４は、画像管理ＩＤを生成し、ステップＳ２０４でバッファに退避しておいた撮影画像のデータに参照画像ＩＤを付与し、ステップＳ２０８で録音が完了した音声メモデータに参照メモＩＤを付与し、ステップＳ２０９で用いたレイアウトに対応する参照レイアウトＩＤをレイアウトデータ２２ｚから取得する。そして、制御部２４は、画像管理ＩＤと、参照画像ＩＤと、参照メモＩＤと、参照レイアウトＩＤとを紐付けた画像管理データを生成する。
【００８３】
続いて、制御部２４は、記憶部２２の画像保存領域へ、バッファに退避しておいた撮影画像のデータを保存する（ステップＳ２１２）。続いて、制御部２４は、記憶部２２の音声メモ保存領域へ音声メモデータを保存する（ステップＳ２１３）。続いて、制御部２４は、画像管理データの保存領域へ画像管理データを保存し（ステップＳ２１４）、ステップＳ２０２に戻る。
【００８４】
ステップＳ２０６において、制御部２４は、判定の結果、音声メモの添付を実行する操作が検出されなかった場合には（ステップＳ２０６、Ｎｏ）、撮影画像の破棄操作を検出したかを判定する（ステップＳ２１５）。
【００８５】
制御部２４は、判定の結果、撮影画像の破棄操作を検出しなかった場合には（ステップＳ２１５、Ｎｏ）、バッファに退避しておいた撮影画像のデータを、記憶部２２の画像保存領域へ保存し（ステップＳ２１６）、ステップＳ２０２に戻る。
【００８６】
一方、制御部２４は、判定の結果、撮影画像の破棄操作を検出した場合には（ステップＳ２１５、Ｙｅｓ）、バッファに退避しておいた撮影画像のデータを破棄して（ステップＳ２１７）、ステップＳ２０２に戻る。
【００８７】
上述してきたように、実施形態２では、携帯電話１は、カメラ３６により画像データが取得されると、続けて、音声メモの録音を受け付ける。そして、携帯電話１は、音声メモの録音が完了すると、画像データと音声メモデータとを紐付ける画像管理データを生成する。続いて、制御部２４は、画像管理データ、画像データ、及びメモデータを、記憶部２２に設けられる保存領域へ保存する。このようなことから、実施形態２によれば、画像データに紐付けて音声メモデータを保存する際の利用者の利便性を向上させることができる。
【００８８】
（実施形態３）
携帯電話１は、画像データに紐付けて保存するデータとして、メモデータ及び音声メモデータのいずれかを選択させるようにしてもよい。以下の実施形態３では、画像データに紐付けて保存するデータとして、メモデータ及び音声メモデータのいずれかを選択させる制御について説明する。
【００８９】
図１３は、実施形態３に係る携帯電話１の機能構成を示すブロック図である。実施形態３に係る携帯電話の機能構成は、以下に説明する点が実施形態１及び実施形態２とは異なる。
【００９０】
実施形態１において、記憶部２２は、図１３に示すように、画像編集プログラム２２ａ、アルバムアプリケーション２２ｂ、カメラアプリケーション２２ｃ、メモアプリケーション２２ｄ、音声メモアプリケーション２２ｅ、画像管理データ２２ｆ、画像データ２２ｇ、メモデータ２２ｈ、音声メモデータ２２ｉ及びレイアウトデータ２２ｚなどを記憶する。
【００９１】
画像管理データ２２ｆは、画像データと、メモデータ又は音声メモデータとの対応関係を管理するためのデータである。画像管理データ２２ｆは、例えば、記憶部２２の画像管理データ保存領域に保存される。画像管理データ２２ｆのデータ構成は、実施形態１及び実施形態２と同様である（図３参照）。
【００９２】
実施形態３において、制御部２４は、カメラ３６により画像データが取得されると、続けて、画像データに紐付けて保存するデータとして、メモデータ及び音声メモデータのいずれかを選択できるようにする。そして、制御部２４は、メモデータあるいは音声メモデータの入力が完了すると、画像データと、メモデータあるいは音声メモデータとを紐付ける画像管理データを生成する。続いて、制御部２４は、画像管理データ、画像データ、メモデータ、あるいは音声メモデータを、記憶部２２に設けられる保存領域へ保存する。
【００９３】
図１４を用いて、実施形態３に係る携帯電話１により実行される制御の一例について説明する。図１４は、画像データに紐付けて保存するデータとして、メモデータ及び音声メモデータのいずれかを選択させる制御の一例を示す図である。
【００９４】
図１４に示すように、携帯電話１は、利用者の操作に応じてカメラ３６を起動し、カメラモードに遷移する。そして、携帯電話１は、カメラ３６により捕捉される被写体の画像（イメージ）を映し出すカメラモードの画面４０をディスプレイ２Ｍに表示する（ステップＳ６１）。
【００９５】
続いて、携帯電話１は、画面４０において、利用者の操作に応じて、カメラ３６により補足されている被写体の画像データを取得する（ステップＳ６２）。画像取得後、取得した画像を確認する確認画面を表示する。携帯電話１は、取得画像の確認画面に、携帯電話１は、例えば、ダイヤルキー３ａに含まれるテンキーの「＃キー」を操作した場合には、メモデータの添付が可能であり、ダイヤルキー３ａに含まれるテンキーの「＊キー」を操作した場合には、音声メモデータの添付が可能であることを画面４０に表示する。
【００９６】
「＃キー」の操作を検出すると、携帯電話１は、メモの入力画面４１をディスプレイ２Ｍに表示する（ステップＳ６３）。以降、携帯電話１は、上記実施形態１で説明したように、画像データにメモデータを紐付けて保存する制御（図５、あるいは図８参照）を実行する。
【００９７】
一方、「＊キー」の操作を検出すると、携帯電話１は、音声メモの録音画面４６をディスプレイ２Ｍに表示する（ステップＳ６４）。以降、携帯電話１は、上記実施形態２で説明したように、画像データに音声メモデータを紐付けて保存する制御（図１０、あるいは図１２参照）を実行する。
【００９８】
実施形態３では、携帯電話１が、画像データに紐付けて保存するデータとして、メモデータ及び音声メモデータのいずれかを選択させることができる。このため、実施形態３によれば、画像データに紐付けて、メモデータあるいは音声メモデータなどのデータを保存する際の利用者の利便性をさらに向上させることができる。
【００９９】
上記実施形態３において、画像データに紐付けて保存するデータとして、メモデータ及び音声メモデータのいずれかを選択させる場合、携帯電話１が、利用者により操作されるキーの種類により判別する例を説明したが、これには限定されない。例えば、携帯電話１は、画像データの取得後（画像撮影後）、自動的にマイク５を起動し、一定時間、音声の入力を受け付けるようにして、音声の入力があれば、画像データに紐付けて音声メモデータを保存するような制御を実行してもよい。あるいは、携帯電話１は、画像データの取得後（画像撮影後）、自動的にマイク５を起動し、一定時間、音声が入力されるのを待機している間に、音声ではなく、キーの入力を検出した場合には、自動的にメモの入力を受け付けて、画像データに紐付けてメモデータを保存するような制御を実行してもよい。
【０１００】
上記の実施形態では、添付の請求項に係る装置の例として、携帯電話について説明したが、添付の請求項に係る装置は、携帯電話に限定されない。添付の請求項に係る装置は、携帯電話以外の携帯電子機器であってもよい。携帯電子機器は、例えば、スマートフォン、タブレット、携帯型パソコン、デジタルカメラ、メディアプレイヤ、電子書籍リーダ、ナビゲータ、及びゲーム機を含むが、これらに限定されない。
【０１０１】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成により具現化されるべきである。
【符号の説明】
【０１０２】
１  携帯電話
２Ｍ  ディスプレイ
３ａ  ダイヤルキー
３ｂ  カーソルキー
３ｃ  決定キー
３ｄ  機能キー
４    ワンタッチキー
４ａ  第１ワンタッチキー
４ｂ  第２ワンタッチキー
４ｃ  第３ワンタッチキー
５    マイク
６    レシーバ
２２  記憶部
２４  制御部
２６  通信部
２８  操作部
３０  音声処理部
３２  表示部
３４  表示制御部
３６  カメラ
【図１】
2014168174.tif 000003
【図２】
2014168174.tif 000004
【図３】
2014168174.tif 000005
【図４】
2014168174.tif 000006
【図５】
2014168174.tif 000007
【図６】
2014168174.tif 000008
【図７】
2014168174.tif 000009
【図８】
2014168174.tif 000010
【図９】
2014168174.tif 000011
【図１０】
2014168174.tif 000012
【図１１】
2014168174.tif 000013
【図１２】
2014168174.tif 000014
【図１３】
2014168174.tif 000015
【図１４】
2014168174.tif 000016